(57)【要約】      （修正有）【課題】燃料は全く不要で、無煙、無臭、地球上どこにでも小さな設備で施設することができ、雨天風・気候・季節に関係なく年中、日夜を問わず稼動させることができ、自然環境に優しく新しいエネルギー源を提供する。【解決手段】ドーナツ型の剛体の錘１を２個作り主軸２を中心に回転する腕３の両端に吊し、合力が０の状態を作って、台４を利用し、主軸２をバッテリーで回転させ、吊り下げた双方の錘１が垂直になったとき、双方の錘１はつり合いの状態でなくなり、各々の１個の単独の物体となり、ドーナツ型の錘１の内径の２分の１の長さだけ、物体の全重量が落下し、重力エネルギーを発生させ、そのエネルギーを電気エネルギーに変える。【選択図】図９
2014218990.tif 000002
【特許請求の範囲】
【請求項１】
ドーナツ型の剛体の錘を２個作り主軸を中心に回転する腕の両端に吊し、合力が０の状態を作って、台を利用し、主軸をバッテリーで回転させ、吊り下げた双方の錘が垂直になったとき、双方の錘はつり合いの状態でなくなり、各々の１個の単独の物体となり、ドーナツ型の錘の内径の２分の１の長さだけ、物体の全重量が落下し、重力エネルギーを発生させ、そのエネルギーを電気エネルギーに変える。
【発明の詳細な説明】
【技術分野】
【０００１】地球をとりまく大気は、これに働く重力のため、すべての物体に圧力をおよぼしている。
本案の重力エネルギーは小型の設備であり、物体が重ければ重いほど、大きな重力エネルギーを発生させることができる。【０００２】重力エネルギーを利用しているものは、例えば水力発電は水を落下させ、重力エネルギーでタービンを動かして、電気を発生させているが、それには、エネルギーを発生させるのに必要な大量の水が必要であり、一度使用した水は二度と利用できない。本案の重力エネルギーは、大気のエネルギーであり、無限にある。
【背景技術】
【０００３】一度落下させた物体を元の高さに戻すことは、落下した物体のエネルギーに等しいエネルギーが必要で、余分のエネルギーは発生しない。【０００４】本案は剛体をつり合い状態を利用し（合力が０）つり合い状態を保ちながら、台を利用し、同じ剛体を何度も何度も落下させて、そのエネルギーを連続的に発生させるところが、本案の特徴である。
【発明の開示】
【発明が解決しようとする課題】
【０００５】地球温暖化が問題視されている現在、石油の使用により地球全体が汚されており、悪影響を及ぼし動植物を死に追いやっている。本案のエネルギーは自然のエネルギーを活用しているので、公害もなく又、無限のエネルギーで美しい地球を守るのに公害等をなくすものである。最大の課題は二酸化炭素（ＣＯ２）の削減である。
【課題を解決するための手段】
【０００６】現在の自然エネルギーの活用は、水力発電・火力発電・風力発電・原子力発電等があるが、水力発電はダムの建築の費用と土地買収等に莫大な資金が必要で、又、雨の少ない年は水量が足りなくなり、充分な発電ができない場合もあり、火力発電は石油燃料等、発電するのに経費が常時必要で石油価格の高騰もあり経済的でない。又、煙害もある。
風力発電は風があるときのみ発電ができ、風がないと電力を得ることができないので不安定である。太陽光発電は夜間は発電ができない。原子力発電は放射能漏れ、機械の老朽化、制御棒の破損等人体環境に悪影響を及ぼしかねない。
又、使用済み核燃料の処理等、社会問題がある。
本案は公害もなく自然の無限のエネルギーを利用しており、全国津々浦々どこにでも建設することができる。
【発明の効果】
【０００７】同じ自然エネルギーであっても、火力、風力、原子力等のエネルギーは何等かの公害を生み地球温暖化に悪影響を及ぼしているが、本案は本来の自然エネルギーを変えないで重力エネルギーを応用するので効果は充分ある。【０００８】例えば風力発電の風力の強さを参考にすると、平均風速（ｍ／秒）２０以上２５未満で、風圧が約３１．３（ｋｇ／ｍ２）とのデータがあり、この強風の場合羽根を停止させないと発電機が故障する場合もあり、本案の錘の重さを平均約３０〜４０ｋｇを用いれば風圧と同じエネルギーを発生させることができ、発電能力は１家庭が１日の消費電力のエネルギーを発生させることができる。
【発明を実施するための最良の形態】
【０００９】本案の目的は、物体を落下させ、自然エネルギーである重力エネルギーを発生させ、その重力エネルギーを回転エネルギーに変えて、電気を起す装置である。【００１０】まず、物体を落下させる装置が必要で、本案の第１の特徴は落下させる物体（錘）を図１のような、ドーナツ型にし、図２のように腕の長さと錘の重さを同じくして、両腕の端に吊し、主軸を回転するようにする。【００１１】第２の特徴は図４に示すような台（番号４）を設け、ドーナツ型の錘が台の周りを台に接しながら回転させ、台の頂上に達したとき、錘は台から落下し、錘の内径の２分の１の距離（Ｈ）だけ落下する。
図４の装置を機械Ｉとする。【００１２】尚、図５のように錘の中央に穴をあけ、あけた所に錘を吊して、同じく、台を利用して、主軸を回転させても、錘は落下しない。錘をドーナツ型にした特徴と、大きな相違点である。【００１３】次にエネルギーを抽出するには、物体を落下させただけでは、重力エネルギーは抽出できない。図６の装置を機械ＩＩとし、回転軸をクランク型にし、上下に動くピストンと、発電機を設え、クランク軸を回転させると、例えば、自転車のペダルを踏むのと同様にクランクが最上位に達したときに、錘は機械Ｉより落下直前、機械ＩＩに移り、錘がペダルの上に乗るようにし、錘の重さにより、クランクが下り、クランクが最下位に達したとき、錘は落下し、元の機械Ｉに戻る工法にする。【００１４】次に図７に示すように、クランク軸が錘の重さにより回転し、垂直になったとき、クランク軸が半回転する速さと、主軸が半回転する速さとは異なるので、主軸が半回転するまで、  クランク軸の腕が垂直になったままの状態を保つため、番号１５のバネで番号１４のピンを支える構造とする。【００１５】次に図８に示すように機械Ｉと機械ＩＩを図の位置関係に取り付け、合体させて、１個の機械とし、主軸を回転させると、錘が断続的に重力エネルギーを発生させることができる。【００１６】最初に機械を稼働させるには、主軸をバッテリーで回転させ、当初は大きな力が必要であるが、回転させてしまえば、微力でも回転させることができ、図１１のように配線する。
【産業上の利用可能性】
【００１７】本案の重力エネルギーは小型発電機で各家庭での１日分の消費電力を発生させる設備であり、現代の原子力発電、水力発電等の大規模な発電所と異なり、各々の家庭で畳１帖の広さがあれば、充分設置することができる。
又、小型自家発電設備であり、設備資金、耐用年数等を考慮しても、現在、各家庭の電気料金の半額で済むものと思料され、経済的で、尚かつ、全国の家庭に１台を設置することになると経済的効果は大きい。
【本発明と引用文献との関係と相異点】
【００１８】引用文献。特願２０１０−３０６１３号は本案の同人であります。
【００１９】本案と引用文献は、重力エネルギーを発生させる考案であり、落下させる物体の形状をドーナツ型にすることは同じであるも、大きな相異点として第１点として、引用文献はドーナツ型の内径の長さを持ち上げるための台を楕円形にしてあり、内径の長さ（距離）を持ち上げるエネルギーが必要であるのに対し、本案は台を円形にしてあり、物体を持ち上げないので、持ち上げるエネルギーは必要ない。
又、反対側には同じ錘の重さの回転エネルギーがある。
【００２０】第２点として、引用文献は主軸を回転させるために第３の外部からのエネルギーを必要としているが、本案は備え付けのバッテリーを用えて最初に主軸を回転させる。
【００２１】第３点として、引用文献は重力を発生させるピストンの回転の速さと、別に錘を吊り下げた腕の回転の速さの二つの異なった運動を一つの棒で連結し、回転させる構造で、物理的、力学的にみて、不合理であり、回転しない。従って、引用文献は無い物に等しい。これに、改良を重ね、本案は回転可能にし、電気を発生させる構造にした。
【図面の簡単な説明】
【００２２】
【図１】錘の形状図
【図２】錘のつり合いの状態図
【図３】錘を吊り下げた変形図
【図４】台を取り付けた図
【図５】ドーナツ型でない錘を吊るした図
【図６】重力を発生させるクランク軸とピストン及びダイナモを取り付けた図
【図７】クランク軸の腕を、回転抑制装置図
【図８】機械Ｉと機械ＩＩを組合わせた位置図
【図９】本体全体の側面図
【図１０】本体全体の正面図
【図１１】配線図
【符号の説明】
【００２３】  １−  錘
２−  主軸
３−  腕
４−  台
５−  クランク軸
６−  ピストン
７−  ペダル
８−  ダイナモ
９−  モーター
１０−  バッテリー
１１−  ライト
１２−  スイッチ
１３−  クランク軸の腕
１４−  回転抑制ピン
１５−  弱いバネ
１６−  主軸の回転と、クランク軸の位置調整棒
１７−  アース
【図１】
2014218990.tif 000003
【図２】
2014218990.tif 000004
【図３】
2014218990.tif 000005
【図４】
2014218990.tif 000006
【図５】
2014218990.tif 000007
【図６】
2014218990.tif 000008
【図７】
2014218990.tif 000009
【図８】
2014218990.tif 000010
【図９】
2014218990.tif 000011
【図１０】
2014218990.tif 000012
【図１１】
2014218990.tif 000013
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
ドーナツ型の剛体の錘を２個作り主軸を中心に回転する腕の両端に吊し、合力が０の状態を作って、台を利用し、主軸をバッテリーで回転させ、吊り下げた双方の錘が垂直になったとき、双方の錘はつり合いの状態でなくなり、各々の１個の単独の物体となり、ドーナツ型の錘の内径の２分の１の長さだけ、物体の全重量が落下し、重力エネルギーを発生させ、その重力エネルギーを上下運動に変え、発電クランク軸に伝え、発電機を回転させて、電気エネルギーに変換させる発電装置。
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
ドーナツ型の剛体の錘を２個作り、主軸を中心に回転する腕の両端に吊るし、合力が０の状態を作って、台を利用し、主軸をバッテリーで回転させ、吊り下げた双方の錘が垂直になったとき、双方の錘はつり合い状態でなくなり、各々の１個の単独の物体となり、ドーナツ型の錘の内径の２分の１の長さだけ、物体の全重量が落下し、重力エネルギーを発生させ、その重力エネルギーを上下運動に変え、発電クランク軸に伝え、回転させて、電気エネルギーに変換させる発電装置において、クランク軸の腕が垂直の状態を保つために、ピンでクランク軸の腕を支えることを特徴とする重力発電機。